(57)【特許請求の範囲】
【請求項１】
被写体の撮影を行って画像データを得るようにした撮影装置において、
上記被写体の撮影時、その撮影者の生体情報を検出する生体情報センサと、
上記撮影時、上記撮影者の行動情報を検出する行動情報センサとを有し、
上記撮影時、上記生体情報センサの検出した生体情報と、上記行動情報センサの検出した行動情報とを、上記撮影時における上記撮影者のメタ情報として、上記画像データに関連付けて保存するようにし、
表示手段を有し、
上記撮影した画像のサムネイルを上記表示手段に表示するとともに、
上記生体情報および上記行動情報にしたがって、上記サムネイルの表示形態を異ならせる
ようにした画像の撮影装置。
【請求項２】
請求項１に記載の撮影装置において、
上記撮影時、その撮影場所の位置情報を検出する位置情報検出手段を有し、
この位置情報検出手段から得られる上記位置情報も、上記メタ情報の一部として上記画像データに関連付けて保存する
ようにした画像の撮影装置。
【請求項３】
請求項２に記載の撮影装置において、
上記撮影時、その撮影日時の情報を得るための時計回路を有し、
この時計回路から得られる上記撮影日時の情報も、上記メタ情報の一部として上記画像データに関連付けて保存する
ようにした画像の撮影装置。
【請求項４】
請求項１、請求項２あるいは請求項３に記載の撮影装置において、
上記メタ情報を上記画像データの一部として一体化して保存する
ようにした画像の撮影装置。
【請求項５】
被写体の撮影時、生体情報センサの検出した撮影者の生体情報と、上記撮影時、行動情報センサの検出した上記撮影者の行動情報とが、上記撮影時における上記撮影者のメタ情報として、上記撮影により得られる画像データに関連付けて保存している場合に、
上記撮影した画像のサムネイルを表示手段に表示するとともに、
上記生体情報および上記行動情報にしたがって、上記サムネイルの表示形態を異ならせる
ようにした画像の表示装置。
【請求項６】
請求項５に記載の表示装置において、
上記撮影時、位置情報検出手段の検出した撮影場所の位置情報も、上記メタ情報の一部として上記画像データに関連付けて保存している場合に、
上記表示手段に、上記位置情報が示す撮影場所を含む地図を表示し、
この表示された地図における上記位置情報が示す位置に、所定のマークを表示するとともに、
この表示されたマークの表示形態を、そのマークに対応する画像データに関連付けされている上記生体情報および上記行動情報にしたがって、異ならせる
ようにした画像の表示装置。
【請求項７】
請求項５あるいは請求項６に記載の表示装置において、
上記メタ情報が上記画像データの一部として一体化されている
ようにした画像の表示装置。
【請求項８】
被写体の撮影時、生体情報センサの検出した撮影者の生体情報と、上記撮影時、行動情報センサの検出した上記撮影者の行動情報とが、上記撮影時における上記撮影者のメタ情報として、上記撮影により得られる画像データに関連付けて上記画像データとともに、サーバにアップロードして上記画像データおよびそのメタ情報を共有するようにし、
上記撮影した画像のサムネイルが、上記生体情報および上記行動情報にしたがった表示形態で表示される
ようにした画像データの管理システム。

【発明の詳細な説明】
【技術分野】
【０００１】
この発明は、画像の撮影装置、その表示装置および画像データの管理システムに関する。
【背景技術】
【０００２】
近年、デジタルカメラの普及により、多くの写真を撮影することが一般的となっているが、このような状況では、撮影した画像（写真）の中から特徴的な画像を容易に抽出できることが重要である。このため、画像を撮影したときのメタ情報、例えば、撮影日時、撮影場所、撮影条件（例えば、シャッタ速度、絞り値）などを、その撮影した画像に付加することが行われている。なお、このメタ情報は、一般にＥｘｉｆ規格のデータ形式で画像データに一体化されている
したがって、画像に付加されたメタ情報を利用すれば、目的とする画像の検索などを素早く、あるいは効率的に行うことができる。
【０００３】
さらに、上記のメタ情報の一部として、心拍数や呼吸数など、画像を撮影したときの撮影者の生体情報（あるいは心理状態の情報）を付加することも考えられている。この生体情報を含む場合には、撮影時における撮影者の生体情報を参照することができるので、特別な状態で撮影された画像について、より的確に検索などを行うことができる。
【０００４】
さらに、カメラを常に身につけておくとともに、所定の時間間隔で自動撮影することにより、自分の行動のすべてを記録するライフログの研究も行われているが、この場合も、メタ情報、特に生体情報や心理情報を利用すれば、膨大な数の画像から重要な画像を検索するとき、これが容易となる。
【０００５】
なお、先行技術文献として例えば以下のものがある。
【特許文献１】特開２００５−１２４９０９号公報
【特許文献２】特開２００５−１４１２８１号公報
【特許文献３】特開２００５−２５０９７７号公報
【発明の開示】
【発明が解決しようとする課題】
【０００６】
この発明は、画像にメタ情報として生体情報あるいは行動情報を付加するとともに、画像の検索などを行うとき、そのメタ情報を有効に利用できるようにしようとするものである。
【課題を解決するための手段】
【０００７】
この発明においては、
被写体の撮影を行って画像データを得るようにした撮影装置において、
上記被写体の撮影時、その撮影者の生体情報を検出する生体情報センサと、
上記撮影時、上記撮影者の行動情報を検出する行動情報センサと
を有し、
上記撮影時、上記生体情報センサの検出した生体情報と、上記行動情報センサの検出した行動情報とを、上記撮影時における上記撮影者のメタ情報として、上記画像データに関連付けて保存する
ようにした画像の撮影装置
とするものである。
【発明の効果】
【０００８】
この発明によれば、撮影した画像に、より感性的なデータとして、その画像の撮影者の生体情報や行動情報を付加しているので、特別な状態で撮影した画像を他の画像とは区別して表示させることができる。
【発明を実施するための最良の形態】
【０００９】
〔１〕  デジタルスチルカメラの一例
〔１−１〕  構成の例
図１は、この発明を適用できるデジタルスチルカメラの一例を示す。すなわち、符号１０はそのデジタルスチルカメラを全体と示し、被写体SBJTの像が撮像レンズ１１により撮像素子、例えばＣＣＤ撮像素子１２に投影され、ＣＣＤ撮像素子１２からは被写体SBJTの映像信号が取り出される。そして、この映像信号がアナログ処理回路１３に供給されてＣＤＳ処理やＡＧＣ処理などの前処理が行われた映像信号とされ、この映像信号がＡ／Ｄコンバータ回路１４に供給されてデジタル映像信号にＡ／Ｄ変換される。
【００１０】
そして、このデジタル映像信号がデジタル処理回路１５に供給されて画質改善のための各種のデジタル補正が行われてから表示制御回路１６に供給されてアナログ映像信号にＤ／Ａ変換されてからモニタ用のビューファインダ１７に供給される。こうして、このとき、撮像レンズ１１が撮影している被写体SBJTがファインダ１７に動画の状態で表示され、撮影内容がモニタされる。
【００１１】
また、符号２０はシステム制御用のマイクロコンピュータを示し、これは、各種のプログラムを実行するＣＰＵ２１と、各種のプログラムが保存されているＲＯＭ２２と、ワークエリア用のＲＡＭ２３と、このカメラに固有の情報やユーザの設定した情報などを保存しておくための不揮発性メモリ２４とを有する。
【００１２】
さらに、このマイクロコンピュータ２０は通信回路２５を有し、この通信回路２５によりコネクタ２６を通じて外部のサーバ（図示せず）との間でデータのアップロード・ダウンロードなどをできるようにされている。また、マイクロコンピュータ２０には、シャッターボタンなどの各種の操作ボタン２７が接続されている。
【００１３】
そして、マイクロコンピュータ２０から処理回路１３、１５、１８にそれぞれの処理のための制御信号が供給されるとともに、タイミングジェネレータ４１にも所定の制御信号が供給されて各種のタイミング信号が形成され、このタイミング信号がＣＣＤ撮像素子１２に供給されてＣＣＤ撮像素子１２における撮像が実現される。
【００１４】
また、撮影者の生体情報の検出用として、例えば心拍数および皮膚の電気抵抗（インピーダンス）を検出する生体情報センサ３１が用意され、その検出出力がコネクタ３５を通じてマイクロコンピュータ２０に取り込まれる。この場合、生体情報センサ３１は、例えば腕時計型に構成されて撮影者の手首に取り付けられ、撮影者の心拍数および皮膚の電気抵抗を検出するものである。なお、この生体情報センサ３１の検出した皮膚の電気抵抗から発汗量を知ることができ、したがって、生体情報センサ３１の検出出力を解析することにより撮影者の生体情報を得ることができる。
【００１５】
さらに、このデジタルスチルカメラ１０には、加速度センサ３２が設けられ、撮影者がデジタルスチルカメラ１０を手に持ったり、首から下げたりして歩いているときなどに、デジタルスチルカメラ１０に加わる加速度が検出され、その検出出力もマイクロコンピュータ２０に取り込まれる。なお、この加速度の検出出力を解析することにより、撮影者が、例えば、ゆっくり歩いている、早足で歩いている、立ち止まっている、バスや電車などの乗り物に乗車しているなどの状態、すなわち、撮影者の行動情報を検出することができる。
【００１６】
また、マイクロコンピュータ２０には、時計回路３３が接続されるとともに、位置情報のセンサ、例えばＧＰＳユニット３４が接続される。この場合、時計回路３３は、被写体SBJTの撮影を行ったとき、その撮影日時の情報を得るためのものであり、ＧＰＳユニット３４は、撮影場所の位置情報を得るためのものである。
【００１７】
さらに、マイクロコンピュータ２０からタイミングジェネレータ４１に所定の制御信号が供給されて各種のタイミング信号が形成され、このタイミング信号がＣＣＤ撮像素子１２に供給されてＣＣＤ撮像素子１２における撮影が実現される。さらに、アナログ処理回路１３およびデジタル処理回路１５と、マイクロコンピュータ２０との間で、各種の制御信号やデータがやりとりされる。
【００１８】
〔１−２〕  動作の例
このデジタルスチルカメラ１０の電源がオンの場合には、上述のように、ＣＣＤ撮像素子１２により撮影された被写体SBJTの画像がファインダ１７に動画の状態で表示される。そして、操作ボタン２７のうちのシャッターボタンを押すと、このときのデジタル映像信号（静止画の映像信号）が、デジタル処理回路１５からマイクロコンピュータ２０に取り込まれ、例えばＪＰＥＧ方式によりデータ圧縮された画像データとされ、この画像データがいったんＲＡＭ２３に保存される。つまり、静止画の撮影が行われ、例えば図２Ａに示すように、その画像データがいったんＲＡＭ２３に保存される。
【００１９】
また、この撮影時、マイクロコンピュータ２０が設定したシャッター速度や絞り値などの撮影条件のデータが撮影情報としてＲＡＭ２３に供給される。なお、このとき、時計回路４３の示す撮影日時のデータがマイクロコンピュータ２０に取り込まれ、撮影情報の一部とされる。
【００２０】
こうして、図２Ａに示すように、ＲＡＭ２３において、これに保存されている画像データに、このときの撮影条件のデータが、例えばＥｘｉｆ形式で付加される。
【００２１】
さらに、生体情報センサ３１の検出した心拍数および電気抵抗のデータと、加速度センサ３２の検出した加速度のデータとがＲＡＭ２３に供給されるとともに、ＧＰＳユニット４４の示す撮影場所の位置情報のデータとが、ＲＡＭ２３に供給され、これに保存されている画像データに、例えばＥｘｉｆ形式で付加される。なお、生体情報センサ３１、３２の検出したデータは、シャッターボタンを押した時点（瞬間）に対して、所定の期間、例えば±30秒の期間のデータとすることができる。
【００２２】
こうして、図２Ａに示すように、ＲＡＭ２３において、これに保存されている画像データに、このときの撮影情報、撮影者の心拍数および電気抵抗、加速度、撮影位置の各データが、例えばＥｘｉｆ形式で付加される。
【００２３】
そして、この各データの付加された画像データが、デジタル処理回路１５を通じて記録再生回路１８に供給され、不揮発性の記録メディア、例えばメモリカード１９に記録される。こうして、任意の被写体を撮影すると、その画像データに撮影者の生体情報および行動情報、撮影日時、撮影位置などの情報が付加されてメモリカード１９に記録されていく。
【００２４】
〔２〕  表示装置の一例
〔２−１〕  構成の例
この例においては、表示装置としてパーソナルコンピュータを使用し、〔１〕に対応した所定のプログラムを実行する場合である。
【００２５】
図３において、符号６０はパーソナルコンピュータを示し、このパーソナルコンピュータ６０は、各種のプログラムを実行するＣＰＵ６１と、イニシャルプログラムローダが保存されている不揮発性メモリ６２と、ワークエリア用のＲＡＭ６３と、大容量の記憶デバイスとしてハードディスクドライブ６４とを有する。そして、これら不揮発性メモリ６２、ＲＡＭ６３およびハードディスクドライブ６４は、システムバス６９を通じてＣＰＵ６１に接続されている。
【００２６】
この場合、ハードディスクドライブ６４には、ＯＳと、各種のアプリケーションプログラムとが用意されているとともに、そのアプリケーションプログラムの一部として、〔１〕に対応した解析用プログラムおよび表示用のプログラムが用意されている。
【００２７】
また、システムバス６９には、入力デバイス６５と、カードリーダ６６と、通信回路６７とが接続されている。この場合、入力デバイス６５は、キーボードやマウスなどのようにユーザが操作して指示やデータの入力を行うためのものであり、カードリーダ６６は、メモリカード、例えば図１のメモリカード１９が差し込まれたとき、そのメモリカード１９との間でデータをアクセスするためのものである。また、通信回路６７は、コネクタ６８を通じて外部のネットワークやサーバとの間でデータのアップロード・ダウンロードなどを行うためのものである。
【００２８】
さらに、パーソナルコンピュータ６０には、表示制御回路７１およびオーディオ再生回路７３が設けられ、これらもシステムバス６９に接続されている。そして、表示制御回路７１は、図示はしないがビデオＲＡＭを有し、このビデオＲＡＭに表示データが供給されるとともに、所定の周期で繰り返し読み出されて映像信号に変換され、この映像信号がディスプレイ７２に供給されて画像を表示するものである。
【００２９】
また、オーディオ再生回路７３は、これにデジタルオーディオデータが供給されたとき、必要に応じてＭＰ３などのデコード処理を行い、さらに、そのデジタルオーディオデータをアナログオーディオ信号にＤ／Ａ変換し、そのアナログオーディオ信号をスピーカ７４に供給するものである。
【００３０】
〔２−２〕  動作の例
〔２−２−１〕  生体情報および行動情報の解析
パーソナルコンピュータ６０の電源をオンにすると、ＣＰＵ６１により不揮発性メモリ６２のイニシャルプログラムローダが実行され、ハードディスクドライブ６４からＯＳが読み出されてＲＡＭ６３に転送されて実行され、アプリケーションプログラムの実行待ちとなる。
【００３１】
そこで、カードリーダ６６に、〔１〕により画像データ（図２Ａ）の保存されているメモリカード１９を差し込み、メモリカード１９に保存されている画像データをハードディスクドライブ６４に転送する。
【００３２】
そして、次に入力デバイス６５を操作して、ハードディスクドライブ６４に用意されている解析用プログラムを実行すると、画像データ（図２Ａ）に付加されている撮影者の心拍数および電気抵抗が解析されて撮影者の生体情報が取り出されるとともに、加速度が解析されて撮影者の行動情報が取り出される。
【００３３】
なお、上述のように、皮膚の電気抵抗から発汗量を知ることができ、したがって、心拍数および電気抵抗を解析することにより撮影者の生体情報を得ることができる。また、加速度を解析することにより、撮影者が、例えば、ゆっくり歩いている、早足で歩いている、立ち止まっている、バスや電車などの乗り物に乗車しているなどの状態、すなわち、撮影者の行動情報を得ることができる。
【００３４】
そして、この取り出された生体情報および行動情報が、図２Ｂに示すように、「ユーザ状態」を示すデータとして、該当する画像データに追記される。こうして、メモリカード１９からハードディスクドライブ６４に転送されたすべての画像データについて、ユーザ状態を示すデータが追記される。なお、撮影者の生体情報および行動情報は、撮影日時、撮影位置、撮影条件と同様、該当する画像に係わるメタ情報である。
【００３５】
〔２−２−２〕  画像の表示例（その１）
画像の表示は、〔２−２−１〕の解析結果したがって、それぞれの画像ごとに、その生体情報、行動情報あるいはユーザ状態に対応した形態に表示される。
【００３６】
図４は、その表示例を示すもので、メモリカード１９からハードディスクドライブ６４に７枚分の画像データが転送されていたので、その７枚分の画像データからそれぞれのサムネイルが形成され、そのサムネイルがディスプレイ７２に表示されている場合である。
【００３７】
そして、この例においては、それぞれのサムネイルは、対応する画像の画像データに付加されているユーザ状態のデータにしたがって異なる大きさとされている。すなわち、サムネイルＴ1の画像を撮影したときには、ユーザ（撮影者）がごく普通の状態であり、心拍数も平常値だったので、その生体情報に基づいてサムネイルＴ1は標準の大きさで表示されている。しかし、サムネイルＴ2の画像を撮影したときには、ユーザが感激し、心拍数が大きくなっていたので、サムネイルＴ2は大きく表示されている。また、他のアイコンも同様であり、それぞれの画像を撮影したときのユーザ状態にしたがった大きさに表示されている。
【００３８】
さらに、サムネイルＴ3の画像を撮影したときには、心拍数があらかじめ設定してある数値以上だったので、サムネイルＴ3が細かく振動した状態、大きさが周期的に変化した状態、あるいは点滅した状態で表示されている。
【００３９】
このように、画像を撮影したときの生体情報、行動情報あるいはユーザ状態に対応してその画像のサムネイルの表示形態が変更される。そして、目的とする画像のサムネイルを、例えばマウスによりダブルクリックすると、その目的とする画像がディスプレイ７２に本来の大きさで表示される。
【００４０】
〔２−２−３〕  画像の表示例（その２）
上記のように、画像の表示は、〔２−２−１〕の解析結果したがって、それぞれの画像ごとに、そのユーザ状態に対応した形態に表示されるが、図５に示す表示方法においては、画像と、その撮影位置と、画像に対するユーザ状態とをリンクさせた場合である。
【００４１】
すなわち、図５は、例えば携帯電話機あるいはモバイル機器のディスプレイ８１に表示を行った場合であり、このとき、その携帯電話機おモバイル機器は、デジタルスチルカメラ１０と同様の機能と、パーソナルコンピュータ６０の表示機能と同様の機能とを有する。
【００４２】
そして、図５においては、６枚分の画像データが転送されている場合であり、そのディスプレイ８１は縦長の表示画面とされている。そして、ディスプレイ８１の上半分に地図が表示されるとともに、その６枚の画像を撮影した位置に、その撮影位置を示すマークＭ1〜Ｍ6が表示されるとともに、そのマークＭ1〜Ｍ6の大きさが、〔２−２−２〕の場合と同様に変更される。
【００４３】
なお、地図上におけるマークＭ1〜Ｍ6の表示位置は、対応する画像の画像データに付加されている位置情報にしたがって決定される。つまり、その位置情報の示す位置を含む地図がディスプレイ８１に表示されるとともに、その地図上にマークＭ1〜Ｍ6が表示されている。このとき、例えば、マークＭ1、Ｍ4に対応する画像の撮影者が同じときには、マークＭ1、Ｍ4は同じ色、例えば赤色とされ、マークＭ2に対応する画像の撮影者がマークＭ1、Ｍ4に対応する画像の撮影者とは異なるときには、マークＭ2は別の色、例えば青色とされる。つまり、マークＭ1〜Ｍ6の色は、そのマークに対応する画像の撮影者に対応して同一の色あるいは異なる色とされる。
【００４４】
また、ディスプレイ８１の下半分には、撮影した画像のサムネイルＴ1、Ｔ2、・・・が横１列に表示される。なお、図５においては、最初から４つのサムネイルＴ1〜Ｔ4が表示されている場合で、残る２つのサムネイルは横スクロールを指示することにより表示される。そして、この場合、サムネイルＴ1〜Ｔ6は、マークＭ1〜Ｍ6に対応している。
【００４５】
さらに、ディスプレイ８１の画面中央には、画面の上半分に示された地図の縮尺を変更するためのボタンＢ1〜Ｂ4が表示される。また、これら縮尺ボタンＢ1〜Ｂ4の例えば上側には、コンポボックスCBが用意され、ここに、各ユーザの最新のアップロード時刻と、自分の位置と、各ユーザが最新の画像を撮影した場所との距離とが表示される。
【００４６】
そして、このコンポボックスにおけるユーザを選択した結果が、画面の上半分の地図や下半分のサムネイルに反映される。また、ディスプレイ８１の最下部には、後述するアイコンＩA〜ＩNが表示される。
【００４７】
したがって、画像と、その撮影位置と、画像に対するユーザ状態とが関連付けされていることになる。そして、目的とする画像のマークあるいはサムネイルを、例えばマウスによりダブルクリックすると、その目的とする画像がディスプレイ８１に本来の大きさで表示される。
【００４８】
〔３〕  画像ファイルの共有
上述のように撮影者の生体情報および行動情報は、撮影日時、撮影位置、撮影条件と同様、該当する画像に係わるメタ情報である。したがって、このメタ情報を使用して、あるいは使用すれば、画像の共有が可能になるとともに、画像の共有者の間で、便利に使用することができる。
【００４９】
そこで、図６に示す例においては、画像を共有するようにした場合である。すなわち、この場合には、ユーザＡがデジタルスチルカメラ１０Ａおよびパーソナルコンピュータ６０Ａを有し、ユーザＢがデジタルスチルカメラ１０Ｂおよびパーソナルコンピュータ６０Ｂを有し、・・・、ユーザＮが携帯電話機８０Ｎを有している場合である。
【００５０】
なお、デジタルスチルカメラ１０Ａ、１０Ｂ、・・・は、デジタルスチルカメラ１０と同様に構成され、パーソナルコンピュータ６０Ａ、６０Ｂ、・・・はパーソナルコンピュータ６０と同様に構成されている。また、携帯電話機８０Ｎは、デジタルスチルカメラ１０と、パーソナルコンピュータ６０の表示機能と同様の機能を有し、例えば図５に示すようなディスプレイ８１を有して画像の表示が可能とされている。さらに、サーバ９１には、例えば図５に示すように、地図を表示するための地図データが用意されている。
【００５１】
そして、これらデジタルスチルカメラ１０Ａ、１０Ｂ、・・・、パーソナルコンピュータ６０Ａ、６０Ｂ、・・・、携帯電話機８０Ｎは、それらに設けられた通信回路２５、６７によりネットワーク、例えばインターネット９０を通じてサーバ９１に接続される。
【００５２】
したがって、デジタルスチルカメラ１０Ａ、１０Ｂ、・・・あるいは携帯電話機８０Ｎの撮影した画像（およびそのメタ情報）をサーバ９１にアップロードすることができるとともに、それらの画像（およびメタ情報）をパーソナルコンピュータ６０Ａ、６０Ｂ、・・・あるいは携帯電話機８０Ｎにダウンロードすることができる。すなわち、ユーザＡ〜Ｎの撮影した画像をそのメタ情報とともに、共有することができる。
【００５３】
なお、この場合、一部のユーザには画像のダウンロードだけを許可したり、別の一部のユーザには画像およびメタ情報のアップロードだけを許可したりすることができる。
【００５４】
そして、このように画像（およびメタ情報）を共有する場合には、例えば図５に示すように、ディスプレイ８１の最下部には、上半分にマークＭ1〜Ｍ6が表示されている画像の撮影者に対応するアイコンＩA、ＩB、・・・が表示されるとともに、マークＭ1〜Ｍ6の色が対応するアイコンＩA、ＩB、・・・の色と同一とされる。
【００５５】
例えば、サムネイルＴ1、Ｔ4の画像がマークＭ1、Ｍ4に対応するとともに、その画像の撮影者がアイコンＩAで示されているときには、マークＭ1、Ｍ4およびアイコンＩAが例えば赤色とされ、サムネイルＴ2の画像がマークＭ2に対応するとともに、その画像の撮影者がアイコンＩBで示されているときには、マークＭ2およびアイコンＩBが例えば青色とされる。
【００５６】
したがって、マークＭ1〜Ｍ6およびアイコンＩA、ＩB、・・・の色から撮影者を識別することができるとともに、グループ化することができる。
【００５７】
〔４〕  まとめ
上述の装置によれば、撮影した画像に、より感性的なデータとして、その画像の撮影者の生体情報や行動情報を付加しているので、特別な状態で撮影した画像を他の画像とは区別して表示させることができる。このため、例えば画像の検索を行うとき、目的とする画像を容易に探し出すことができる。
【００５８】
また、シャッターボタンを押す直前に心理的な変化があり、この変化がシャッターボタンを押すきっかけになることもあるが、そのシャッターボタンを押す前後の期間の生体情報や行動情報を、その画像に付加しておくことができるので、他の画像との区別をより明確に行うことができる。すなわち、画像に、ユーザ（撮影者）の撮影直前までの生体情報および行動情報を付加しているので、生体情報や行動情報から推定することで、通常とは異なる状態における画像を検索したり、選択したりすることができる。
【００５９】
〔５〕  その他
上述においては、被写体の撮影を行うデジタルスチルカメラ１０と、その撮影画像の表示を行うパーソナルコンピュータ６０とが別体であるが、デジタルスチルカメラ１０に、パーソナルコンピュータ６０の表示機能と同様の表示機能を持たせることもできる。
【００６０】
また、例えば図７Ａに示すように、画像データには一般のデジタルスチルカメラと同様に撮影情報のデータを付加するとともに、リンク情報を付加し、図７Ｂに示すように、そのリンク情報で指定される別のファイルに、ユーザ状態などのデータを含ませておくこともできる。そのようにすれば、画像データと、ユーザ状態などのデータとをそれぞれ独立に管理することができる。
【００６１】
さらに、生体情報として、体温、呼吸数、皮電図のデータなどを使用することもできる。また、上述においては、ユーザがシャッターボタンを押したとき、撮影が行われるとともに、そのときのメタ情報としてユーザ状態を示すデータが保存される場合であるが、所定の期間ごとに自動的に撮影およびユーザ状態を示すデータの保存が行われるようにすることもできる。
【００６２】
また、ＧＰＳユニット３４の出力によりユーザが行動する場所の頻度表を作成してユーザが普段行動する範囲を把握しておき、その行動範囲から外れたとき、自動的に撮影およびユーザ状態を示すデータの保存を行うこともできる。
【００６３】
さらに、ＧＰＳユニット３４により位置情報を得る代わりに、携帯電話機の基地局や無線ＬＡＮのアクセスポイントなどから位置情報を得ることもできる。また、例えば自動車の助手席付近にデジタルスチルカメラ１０をつりさげ、進行方向を例えば10秒ごとに自動的に撮影するとともに、このときの運転者のユーザ状態を同様に記録してドライブレコーダとすることもできる。
【００６４】
また、〔２−２−１〕における生体情報および行動情報の解析は、デジタルスチルカメラ１０において、ソフトウェアあるいは専用のハードウェアにより行うこともできる。さらに、デジタルスチルカメラ１０あるいはパーソナルコンピュータ６０において、画像認識を行い、その認識結果を画像データに付加することもできる。
【００６５】
さらに、センサ３１、３２は、上述の時計タイプ（リストタイプ）以外にも、ネックレスタイプ、ブレスレットタイプ、アームバンドタイプなどとすることもでき、データの検出に加えて解析を行うこともできる。また、撮影とは別に、一定の期間ごとに生体情報を記録しておくこともできる。さらに、メタ情報はＤＣＦ規格などとすることもできる。
【００６６】
〔略語の一覧〕
Ａ／Ｄ  ：Analog to Digital
ＡＧＣ  ：Automatic Gain Control
ＣＣＤ  ：Charge Coupled Device
ＣＤＳ  ：Correlated Double Sampling
ＣＰＵ  ：Central Processing Unit
Ｄ／Ａ  ：Digital to Analog
ＤＣＦ  ：Design rule for Camera File system
Ｅｘｉｆ：EXchangeable Image File format
ＧＰＳ  ：Global Positioning System
ＪＰＥＧ：Joint Photographic Experts Group
ＭＰ３  ：MPEG-1/Audio Layer 3
ＭＰＥＧ：Motion Picture Experts Group
ＯＳ    ：Operating System
ＲＡＭ  ：Random Access Memory
ＲＯＭ  ：Read Only Memory
【図面の簡単な説明】
【００６７】
【図１】この発明の一形態を示す系統図である。
【図２】この発明におけるデータ構造の一例を示す図である。
【図３】この発明の一形態を示す系統図である。
【図４】この発明による表示例を示す図である。
【図５】この発明による他の表示例を示す図である。
【図６】この発明の使用例を示す系統図である。
【図７】この発明におけるデータ構造の他の例を示す図である。
【符号の説明】
【００６８】
１０…デジタルスチルカメラ、１２…ＣＣＤ撮像素子、１６…表示制御回路、１７…ビューファインダ、１８…記録再生回路、１９…メモリカード、２０…マイクロコンピュータ、２７…操作ボタン、３１…生体情報センサ、３２…行動情報センサ、３３…時計回路、３４…ＧＰＳユニット
【図１】
0005024093.tif 000002
【図２】
0005024093.tif 000003
【図３】
0005024093.tif 000004
【図６】
0005024093.tif 000005
【図７】
0005024093.tif 000006
【図４】
0005024093.tif 000007
【図５】
0005024093.tif 000008